(57)【要約】【課題】非常に簡単な機構で、マイナスイオンを容易に発生させ、効率良く被掃除面に拡散させることにより、集塵性能を向上させた電気掃除機を提供することを目的とする。【解決手段】塵埃を吸引する下方開口部２と、前記開口部を形成する壁面３と、前記壁面３に設けられ帯電順位が異なるブラシから構成されるブラシ群４とを備え、前記ブラシ群４と被掃除面を摩擦させたとき、前記帯電順位が異なるブラシが摩擦し合うことで、マイナスイオンを発生するもので、被掃除面とブラシ群４とが直接接触していることから、被掃除面の塵埃にマイナスイオンを効率良く吸着させることができる。【選択図】　図２
2004129780.tif 000002
【特許請求の範囲】
【請求項１】
塵埃を吸引する下方開口部と、前記開口部を形成する壁面と、前記壁面に設けられ帯電順位が異なるブラシから構成されるブラシ群とを備え、前記ブラシ群と被掃除面を摩擦させたとき、前記帯電順位が異なるブラシが摩擦し合うことで、マイナスイオンを発生する電気掃除機用吸込具。
【請求項２】
１枚の基布上に、帯電順位の異なるブラシを形成しブラシ群とした請求項１記載の電気掃除機用吸込具。
【請求項３】
塵埃を吸引する下方開口の開口部内または前記開口部近傍に設けられるとともに、帯電順位が異なるブラシから構成されるブラシ群を各々備え、前記帯電順位の異なるブラシ群がそれぞれ摩擦し合いながら回転することで、マイナスイオンを発生する電気掃除機用吸込具。
【請求項４】
塵埃を吸引する下方開口の開口部内または前記開口部近傍に設けられるとともに、帯電順位が異なるブラシから構成されるブラシ群を各々備え、前記各々のブラシ群は被掃除面に接触するとともに、前記ブラシ群の一方が回転し、前記帯電順位の異なるブラシ群が摩擦し合うことで、マイナスイオンを発生する電気掃除機用吸込具。
【請求項５】
壁面が円弧状に形成され、かつ一つあるいは複数の開口部を有して成る請求項１〜４のいずれか１項に記載の電気掃除機用吸込具。
【請求項６】
吸引風を発する電動送風機を内蔵した掃除機本体を備え、前記電動送風機と請求項１〜５のいずれか１項に記載の電気掃除機用吸込具が連通して成る電気掃除機。
【発明の詳細な説明】
【０００１】
【発明の属する技術分野】
本発明は、吸込具壁面にイオンを発生させて集塵性能の向上を図った電気掃除機用吸込具およびそれを用いた電気掃除機に関するものである。
【０００２】
【従来の技術】
従来の電気掃除機用吸込具のマイナスイオン発生部としては、床ノズルの吸込部の内部に、正または負のイオンを発生するイオン発生部を備え、前記イオン発生部からのイオンを掃除部位に向かい発生する構成となっていた（例えば、特許文献１参照。）。
【０００３】
【特許文献１】
特開平５−２５３１４８号公報
【０００４】
【発明が解決しようとする課題】
しかしながら上記従来の構成では、被掃除面とマイナスイオン発生部が離れているため、被掃除面上の塵埃にマイナスイオンが吸着される前にマイナスイオンが減衰してしまったり、あるいは掃除機本体の吸引力によって生成したマイナスイオンの一部が掃除機内部に吸引されたりしてしまい、効率良くマイナスイオンを被掃除面の塵埃に吸着させることができないという課題を有していた。
【０００５】
本発明は、上記課題を解決し、非常に簡単な機構で、マイナスイオンを容易に発生させ、効率良く被掃除面に拡散させることにより、集塵性能を向上させた電気掃除機用吸込具およびそれを用いた電気掃除機を提供することを目的とする。
【０００６】
【課題を解決するための手段】
上記の課題を解決するために本発明は、塵埃を吸引する下方開口部と、前記開口部を形成する壁面と、前記壁面に設けられ帯電順位が異なるブラシから構成されるブラシ群とを備え、前記ブラシ群と被掃除面を摩擦させたとき、前記帯電順位が異なるブラシが摩擦し合うことで、マイナスイオンを発生するもので、被掃除面とブラシ群とが直接接触していることから、被掃除面の塵埃にマイナスイオンを効率良く吸着させることができ、さらにブラシ群の掻き上げ力で被掃除面の塵埃を効率的に集塵できる。
【０００７】
【発明の実施の形態】
本発明の請求項１記載の発明は、塵埃を吸引する下方開口部と、前記開口部を形成する壁面と、前記壁面に設けられ帯電順位が異なるブラシから構成されるブラシ群とを備え、前記ブラシ群と被掃除面を摩擦させたとき、前記帯電順位が異なるブラシが摩擦し合うことで、マイナスイオンを発生するもので、被掃除面とブラシ群とが直接接触していることから、被掃除面の塵埃にマイナスイオンを効率良く吸着させることができ、さらにブラシ群の掻き上げ力で被掃除面の塵埃を効率的に集塵できる。
【０００８】
本発明の請求項２記載の発明は、１枚の基布上に、帯電順位の異なるブラシを形成しブラシ群としたもので、帯電順位の異なるブラシどうしの摩擦効率が向上されるため、マイナスイオンの発生量が増大し、被掃除面に効果的にマイナスイオンを拡散でき、効率良く集塵することができる。また、安価で帯電順位の異なるブラシを有するブラシ群を形成できる。
【０００９】
本発明の請求項３記載の発明は、塵埃を吸引する下方開口の開口部内または前記開口部近傍に設けられるとともに、帯電順位が異なるブラシから構成されるブラシ群を各々備え、前記帯電順位の異なるブラシ群がそれぞれ摩擦し合いながら回転することで、マイナスイオンを発生するもので、前記帯電順位の異なるブラシ群どうしが確実に接触するため、マイナスイオンが確実に生成できる。また、特に、ブラシ群が、被掃除面に直接接触していると、被掃除面の塵埃に効率良くマイナスイオンを吸着させることができ、さらにブラシ群が回転することにより、塵埃を掻き上げる能力を増大させ、操作性も向上する。
【００１０】
本発明の請求項４記載の発明は、塵埃を吸引する下方開口の開口部内または前記開口部近傍に設けられるとともに、帯電順位が異なるブラシから構成されるブラシ群を各々備え、前記各々のブラシ群は被掃除面に接触するとともに、前記ブラシ群の一方が回転し、前記帯電順位の異なるブラシ群が摩擦し合うことで、マイナスイオンを発生するもので、ブラシ群が、被掃除面に直接接触していると、被掃除面の塵埃に効率良くマイナスイオンを吸着させることができ、さらにブラシ群が回転することにより、塵埃を掻き上げる能力を増大させ、操作性も向上する。
【００１１】
本発明の請求項５記載の発明は、壁面が円弧状に形成され、かつ一つあるいは複数の開口部を有していることにより、動き方向の吸塵幅を大きく得ることができ、コーナー部の塵埃を吸塵する効果や自在な吸塵角度を得ることができる。
【００１２】
本発明の請求項６記載の発明は、電気掃除機本体の吸引力に加え、イオンを利用して集塵力を向上させた電気掃除機用吸込具を備えることで、より効率的に床面の塵埃を集塵できる。
【００１３】
【実施例】
以下、本発明の実施例について図面を用いて説明する。
【００１４】
（実施例１）
図１から図３においては、本発明の第１の実施例を示すもので、吸込具本体１は、塵埃を吸引する下方開口部２と前記開口部２を形成する壁面３と、前記壁面３に設けられ帯電順位の異なるブラシから構成されるブラシ群４を有している。
【００１５】
また、後部に延長管６と接続される接続管７を回転自在に設けている。掃除機本体８は、内部に吸引した塵埃を集塵する集塵室９と吸引風を発する電動送風機１０を備えており、この掃除機本体８に設けた接続口１１に、延長管６を接続したホース１２を接続し、吸込具本体１の接続管７を接続口１１まで連通するように構成している。
【００１６】
吸込具本体１には、図２（ａ）に示すような、帯電順位がプラス側の材質から成るブラシ１３とマイナス側の材質から成るブラシ１４より構成されるブラシ群４が設けられている。掃除の際、このブラシ群４と被掃除面が摩擦し、そのとき、帯電順位がプラス側の材質から成るブラシ１３とマイナス側の材質から成るブラシ１４が擦れ合うことにより、マイナス側の材質から成るブラシ１４が、マイナス側に帯電してマイナス電荷を放出する。このマイナス電荷を放出するブラシ１４が被掃除面と接触することにより、被掃除面の塵埃にマイナスイオンを効率良く吸着させることができる。
【００１７】
さらに吸込具本体１の壁面３は、図３のように円弧状に形成され、かつ複数の開口部１５を有しているものも考えられる。これは円弧軸方向の円弧頂点部位に図２に示したような帯電順位の異なるブラシから成るブラシ群４が装着され、その両側に下面開口部１５が開口し、それぞれの脇にもブラシ群４が装着されているものである。このようにノズル下面を円弧状に形成することにより、階段などの直行する各面にブラシ群４が接するので、マイナスイオンを効果的に拡散させることができ、加えて凹部の塵埃も効率良く掻き出すことができる。さらに下面開口部１５を複数設けていることで効率良く塵埃を吸引除去することができる。
【００１８】
ブラシ材質としてはマイナス側に帯電しやすいフッ化樹脂（テフロン（Ｒ））および塩化ビニルなど、プラス側に帯電しやすいナイロン、羊毛などが選択され、マイナス側に帯電しやすいブラシとプラス側に帯電しやすいブラシの組み合わせによりブラシ群４が形成される。
【００１９】
このブラシ群４は起毛布であっても構わない。起毛布はシート面上に細かい毛を密集起毛させたものであり、起毛布を用いた場合には、下面開口部１５の両側を封鎖して下面開口部１５の集塵能力を向上させ吸込具本体１の動きに応じて凹部の塵埃を掻き出し、被掃除面の塵埃を下面開口部１５に導き、被掃除面を拭く作用効果を発揮すると共に、家具や被掃除面を傷つけないバンパーの作用も有するものである。この起毛布には同形状のフェルトを用いることもできる。
【００２０】
（実施例２）
本発明第２の実施例について、図４を用いて説明する。なお、上記実施例と同一構成部分については同一符号を付してその説明を省略する。
【００２１】
図４（ｂ）は、下方開口の開口部２内に設けられた帯電順位の異なるブラシから各々形成され、かつ回転自在な二つのブラシ群の構成を示している。ブラシ群１６は帯電順位がマイナス側のブラシから形成されたブラシ群であり、ブラシ群１７は帯電順位がプラス側のブラシから形成されたブラシ群である。ブラシ群（１６、１７）は、被掃除面上を吸込具本体１が動く際に生じるブラシ群（１６、１７）と被掃除面との抵抗力等により回転し、その回転時に、ブラシ群（１６、１７）が有するブラシどうしが摩擦することで、帯電順位がマイナス側のブラシ群１６にマイナスイオンが発生する。また、ブラシ群（１６、１７）が有するそれぞれのブラシは、回転時、被掃除面に直接接触するので、効果的にマイナスイオンを被掃除面上の塵埃に吸着させることができ、さらにブラシ群が回転することでより効率的に塵埃を掻き上げることができる。なお、前記ブラシ群（１６、１７）は、開口部２内に吸引される吸引風により風圧を受け回転する構成やモータを用いて回転する構成であっても良いし、また、開口部２内に設けられてなくでも、前記開口部２の前方等の近傍で、吸引風が前記開口部２へと流れる流路に設けられていても同様の効果は得られる。
【００２２】
図４（ｃ）には、下方開口の開口部２内に設けられた帯電順位の異なる二つのブラシの少なくともどちらか一方が回転するようなものを示している。壁面３に設けられ固定されている帯電順位がマイナス側のブラシ群１８と、回転する際に被掃除面およびブラシ群１８と接するように設けられたブラシ群１９が、掃除の際に生じる被掃除面の抵抗力により回転して、ブラシ群１８とブラシ群１９との摩擦によってブラシ群１８にマイナスイオンが生じる。ブラシ群１８は壁面３に設けてあるため、被掃除面に接するので、生成したマイナスイオンを効果的に被掃除面に拡散させて、集塵することができる。
【００２３】
なお、前記ブラシ群１９は、開口部２内に吸引される吸引風により風圧を受け回転する構成やモータを用いて回転する構成であっても良いし、また、ブラシ群（１８、１９）は、開口部２内に設けられてなくでも、前記開口部２の前方等の近傍で、吸引風が前記開口部２へと流れる流路に設けられていても同様の効果は得られる。
【００２４】
また、帯電順位がマイナス側のブラシと、帯電順位がプラス側のブラシを１つのブラシ群として構成し、そのブラシ群が回転して、被掃除面と摩擦し、そのとき、帯電順位がプラス側の材質から成るブラシとマイナス側の材質から成るブラシが擦れ合うことにより、マイナス側の材質から成るブラシが、マイナス側に帯電してマイナス電荷を放出する構成とすることもできる。
【００２５】
さらに、ブラシ群４やブラシ群（１６、１７、１８、１９）は吸込具本体１の壁面３あるいは下方開口の開口部２内に複数存在してもよい。ブラシ群４やブラシ群１６、１７のセット、ブラシ群１８とブラシ群１９のセットを適宜組み合わせて吸込具本体１に装着することによって集塵効率をより向上させることができる。
【００２６】
ブラシ群１６やブラシ群１８にはマイナス側に帯電しやすいフッ化樹脂（テフロン（Ｒ））および塩化ビニルなどで形成されている。一方、ブラシ群１７、１８プラス側に帯電しやすいナイロン、羊毛などで構成されることが望ましい。
【００２７】
さらにこの実施例２においても、吸込具本体１の壁面が、図３のように円弧状に形成され且つ一つあるいは複数の開口部を有しているものが考えられる。本実施例の場合、ブラシ群は回転するので塵埃を掻き出す効率はさらに向上する。
【００２８】
【発明の効果】
以上説明したように本発明は、安全且つ非常に簡単な機構で、マイナスイオンが容易に且つ連続的に発生されるので、被掃除面にマイナスイオンが効果的に拡散されることにより、集塵性能を向上させた電気掃除機を提供できる。
【図面の簡単な説明】
【図１】本発明の実施例１の電気掃除機の全体斜視図
【図２】（ａ）同吸込具本体の下面図
（ｂ）図２（ａ）のＡ−Ａ断面拡大図
【図３】（ａ）同吸込具本体の他の例の側面図
（ｂ）同吸込具本体の他の例の下側面図
（ｃ）同吸込具本体の他の例の正面図
【図４】（ａ）本発明の実施例２における吸込具本体の下面図
（ｂ）図４（ａ）のＡ−Ａ断面拡大図
（ｃ）図４（ａ）の他のＡ−Ａ断面拡大図
【符号の説明】
１　吸込具本体
２、１５　開口部
３　壁面
４　ブラシ群
５　基布
１３　帯電順位がプラス側のブラシ
１４　帯電順位がマイナス側のブラシ
１６、１８　帯電順位がマイナス側のブラシ群
１７、１９　帯電順位がプラス側のブラシ群
【図１】
2004129780.tif 000003
【図２】
2004129780.tif 000004
【図３】
2004129780.tif 000005
【図４】
2004129780.tif 000006